(57)【要約】      （修正有）【課題】耳穴掃除時に挿入する怖さを取り除き、耳垢を掻き出しやすくした耳掻きを提供する。【解決手段】棒状軸部４と軸部よりも幅広のスプーン形状部３を一体的にしてなる耳掻き１において、スプーン形状部３と軸部の少なくとも一部に当接する、軸方向に長い楕円体６の軟質部材２を設け、さらにスプーン形状部３から先端に向かって、軟質部材２から突出する突出部５を設ける。その軟質部材から突出するスプーン形状部の突出部により、突出部はその柔軟性の軟らかな軟質性により、その耳掻きを耳内で安定させ、ブレルことをなくすと共に挿入案内に係る恐さをなくす。また、耳掻きを少し角度を変えることによりそのスプーン形状部の先端部はその軟質部材のクッションを介して耳内にあてる力を掛け過ぎることなく耳穴掃除を行える。【選択図】図１
0003197033.tif 000002
【実用新案登録請求の範囲】
【請求項１】
棒状軸部（４）と該軸部よりも幅広のスプーン形状部（３）を一体的に
してなる耳掻き（１）において前記スプーン形状部（３）と軸部の少なく
とも一部に当接する軸方向に長い楕円体（６）の軟質部材（２）を設ける
と共に該スプーン形状部（３）から先端に向かって且該軟質部材（２）か
ら突出する突出部（５）を有してなることを特徴とする耳掻き。
【請求項２】
前記軸方向に長い楕円体側面に該楕円体周面一周を連通する複数の溝
を設けたことを特徴する請求項１記載の耳掻き。
【請求項３】
前記当接する軸方向に長い楕円体の軟質部材を該軸から動かないよう
固定したことを特徴とする請求項１記載の耳掻き。
【請求項４】
前記軟質部材を多孔質としたことを特徴とする請求項１記載の耳掻き。
【請求項５】
前記軟質部材を綿としたことを特徴とする請求項１乃至４のいずれか
一項に記載の耳掻き。
【請求項６】
前記軟質部材に水溶液を含浸としたことを特徴とする請求項１乃至５
のいずれか一項に記載の耳掻き。
【請求項７】
前記水を精製させ前記軟質部材に含浸したことを特徴とする請求項１
乃至６のいずれか一項に記載の耳掻き。
【請求項８】
前記軟質部材にビタミンを含有したことを特徴とする請求項１乃至７
のいずれか一項に記載の耳掻き。
【請求項９】
前記軟質部材にアミノ酸を含有したことを特徴とする請求項１乃至８
のいずれか一項に記載の耳掻き。
【請求項１０】
前記軟質部材に精製ミネラルオイルを含浸したことを特徴とする請求
項１乃至９のいずれか一項に記載の耳掻き。
【請求項１１】
前記軟質部材に植物油を含浸したことを特徴とする請求項１乃至１０
のいずれか一項に記載の耳掻き。
【請求項１２】
前記軟質部材の係るスプーン形状部を前記棒状軸部から着脱可能とし
たことを特徴とする請求項１乃至１１のいずれか一項に記載の耳掻き。
【請求項１３】
前記着脱可能をネジ状の螺旋凹凸のそれぞれで可能としたことを特徴
とする請求項１乃至１２のいずれか一項に記載の耳掻き。
【請求項１４】
前記棒状軸部の一端と他端のそれぞれに係る形成を大きさが異なる大
小の同一形成としたことを特徴とする請求項１乃至１３のいずれか一項
に記載の耳掻き。
【請求項１５】
前記耳掻きを熱可塑性樹脂で形成したことを特徴とする請求項１乃至
１４のいずれか一項に記載の耳掻き。 
【請求項１６】
前記耳掻きに顔料で着色させたことを特徴とする請求項１乃至１５の
いずれか一項に記載の耳掻き。
【請求項１７】
前記軟質部材に粘着を与えたことを特徴とする請求項１乃至１６
のいずれか一項に記載の耳掻き。
【考案の詳細な説明】
【技術分野】
【０００１】
本考案は棒状の軸部と該軸部よりも幅広のスプーン形状部を一体的にして
なる耳掻きにおいて前記スプーン形状部と軸部の少なくとも一部に当接す
る軸方向に長い楕円体の軟質部材を設けると共に該スプーン形状部から先
端に向かって且該軟質部材から突出する突出部を有する形成によりその当
節する軟質部材や該軟質部材は棒状軸部よりも幅広のスプーン形状部に設
ける為その軟質部材は該幅広でその軟質部材の移動を制し取れにくいもの
となりまたその軟質部材から突出する突出部によるそれらの形成によりそ
の軟質部材の軟らかい表面体によりその耳掻きを耳内に挿入する棒状軸部
をブレずに安定させることにより耳挿入案内の恐さをほぼなくしまたその
軟質部材の全周面の軟らかい支点を介してその耳掻きの角度を少し変える
ことによりその軟質部材は力を吸収しながらそのスプーン形状部の先端と
する突出部をその耳内側面に当てる為そのスプーン形状部は力を欠けすぎ
ることなくその耳内を傷めてしまうことを防ぐものとしまたその耳の最奥
は凹部となる凹み部分が広がる為そのスプーン形状部となる突出部により
その凹み部分に溜まる耳垢を掻き出せるものとし大人が自己でその耳掻き
を使用してもまたその大人とする親が子供の耳垢を除去するそれぞれ挿入
案内に安心を与え綿棒のイメージでスプーン形状部が使用できるものとす
る。
【背景技術】
【０００２】
耳掻きは棒状の一端より幅広のスプーン形状部が形成させているものが
多く見られそのスプーン形状部を使用する安定感は非常に悪い為その耳掻
きを耳穴に挿入する不安を与えると共にそのスプーン形状部を直接耳穴に
あてることにより力が係りやすい該スプーン体の先端部一支点となりやす
く過度の力が係り耳穴を傷つけてしまうということや安定感の得られない
恐さにより安全に挿入案内をスムーズに行えないというそれらの問題点が
あった。
【先行技術文献】
【特許文献】
【０００３】
【特許文献１】特開２００６−１７５１９５
【考案の概要】
【考案が解決しようとする課題】
【０００４】
耳掻きはスプーン形状部等の挿入案内に係る恐さや安定感を解消する為
本考案は棒状軸部と該軸部よりも幅広のスプーン形状部を一体的にしてな
る耳掻きにおいて前記スプーン形状部と軸部の少なくとも一部に当接する
軸方向に長い楕円体の軟質部材を設けると共に該スプーン形状部から先端
に向かって且該軟質部材から突出する突出部を有する形成によりその軟質
部材に係る肉厚はそのスプーン形状の肉厚や幅より該軟質部材を設ける分、
厚くなる部分となり尚その軟質部材を楕円体とする為確実に厚み形状を作
るものとなりその厚みのある軟質部材の全周側面により耳掻き挿入案内を
安定させるものとする為その軟質部材を介して軟らかい支点で係る力を吸
収させながらそのスプーン形状の先端とする突出部を耳の内側面に接触さ
せる為耳穴に過度の力を掛けることなく耳穴を傷めることを防ぐと共にそ
の挿入案内による恐さを軟質部材のクッション性によりほぼなくすものと
なる。
【課題を解決するための手段】
【０００５】
本考案１は
棒状軸部（４）と該軸部よりも幅広のスプーン形状部（３）を一体的に
してなる耳掻き（１）において前記スプーン形状部（３）と軸部の少なく
とも一部に当接する軸方向に長い楕円体（６）の軟質部材（２）を設ける
と共に該スプーン形状部（３）から先端に向かって且該軟質部材（２）か
ら突出する突出部（５）を有してなることを特徴とする耳掻きを提供。
【０００６】
本考案２は
前記軸方向に長い楕円体側面に該楕円体周面一周を連通する複数の溝を
設けたことを特徴する耳掻きを提供。
【０００７】
本考案３は
前記当接する軸方向に長い楕円体の軟質部材を該軸から動かないように
固定したことを特徴とする耳掻きを提供。
【０００８】
本考案４は
前記軟質部材を多孔質としたことを特徴とする耳掻きを提供。
【０００９】
本考案５は
前記軟質部材を綿としたことを特徴とする耳掻きを提供。
【００１０】
本考案６は
前記軟質部材に水溶液を含浸としたことを特徴とする耳掻きを提供。
【００１１】
本考案７は
前記水を精製させ前記軟質部材に含浸したことを特徴とする耳掻きを提供。
【００１２】
本考案８は
前記軟質部材にビタミンを含有したことを特徴とする耳掻きを提供。
【００１３】
本考案９は
前記軟質部材にアミノ酸を含有したことを特徴とする耳掻きを提供。
【００１４】
本考案１０は
前記軟質部材に精製ミネラルオイルを含浸したことを特徴とする耳掻
きを提供。
【００１５】
本考案１１は
前記軟質部材に植物油を含浸したことを特徴とする耳掻きを提供。
【００１６】
本考案１２は
前記軟質部材の係るスプーン形状部を前記棒状軸部から着脱可能とした
ことを特徴とする耳掻きを提供。
【００１７】
本考案１３は
前記着脱可能をネジ状の螺旋凹凸のそれぞれで可能としたことを特徴
とする耳掻きを提供。
【００１８】
本考案１４は
前記棒状軸部の一端と他端のそれぞれに係る形成を大きさが異なる大小
の同一形成としたことを特徴とする耳掻きを提供。
【００１９】
本考案１５は
前記耳掻きを熱可塑性樹脂で形成したことを特徴とする耳掻きを提供。
【００２０】
本考案１６は
前記耳掻きに顔料で着色させたことを特徴とする耳掻きを提供。
【００２１】
本考案１７は
前記軟質部材に粘着を与えたことを特徴とする耳掻きを提供。
【考案の効果】
【００２２】
本考案１は
棒状軸部（４）と該軸部よりも幅広のスプーン形状部（３）を一体的に
してなる耳掻き（１）において前記スプーン形状部（３）と軸部の少なく
とも一部に当接する軸方向に長い楕円体（６）の軟質部材（２）を設ける
と共に該スプーン形状部（３）から先端に向かって且該軟質部材（２）か
ら突出する突出部（５）を有してなることを特徴とする為そのスプーン形
状部（３）と軸部の少なくとも一部に当接する軸方向に長い楕円体する為
やそのスプーン形状部はその軸部よりも幅広とする為その部材同士が当
接することと幅広スプーン形状部のそれぞれの形成がその軟質部材を取
れにくく壊れにくいものへと繋げまたそのスプーン形状部と軸部に軟質
部材を設けることにより該楕円体に係る形状長さを有すことが可能とな
る為その該長さに伴い表面積が得られることにより耳垢を付着させやす
い面積となり尚その軸部よりも幅広のスプーン形状に楕円体の軟質部材
を設けるという該軟質部材の厚み幅がそのスプーン形状幅より厚くなる
部分とすることやその楕円体の形状によるその軟質部材の厚みを介して
スプーン形状部が使用できる為その軟質部材の全周面でその耳掻きを耳
内でブレずに安定させることによりそのスプーン形状部を使用する恐さ
をほぼなくすと共に安心を与え安全に耳垢を除去できるものとなりその
耳掻きは大人が自己で使用してもまた親が子供の小さい耳穴を掃除する
際にそれぞれ双方の使用に安心を与えるスプーン形状部となりまたその
安心に係るその耳掻きは耳穴内に軟質部材の全周面を接触させることか
らそのスプーン形状部から先端に向かって且該軟質部材から突出する突
出部を有する形成によるその該先端とするスプーン形状部を使用する為
その全周面の軟質性の軟らかさを介してそのスプーン形状の先端部を耳
内側面に接触させるためその接する力をその軟質部材支点で吸収しなが
らそのスプーン形状部の先端が該支点を介して耳内に当てるものとする
為その耳内に力を欠けすぎることなく耳穴を傷めることを防ぐものとし
尚そのスプーン形状部に係る軟質部材からの突出部を有することにより
該突出部で耳の最奥とする凹みが広がる部分に溜まる耳垢を掻き出しや
すい形成となる。
【００２３】
本考案２は
前記軸方向に長い楕円体側面に該楕円体周面一周を連通する複数の溝を
設けたことを特徴する為その楕円体周面一周を連通する複数の溝を設け
たことによりその溝なる複数の凹部により耳垢を絡みやすい形状となる。
【００２４】
本考案３は
前記当接する軸方向に長い楕円体の軟質部材を該軸から動かないように
固定したことを特徴とする為その軟質部材は軸部に固定させ取れにくい
ものとなる。
【００２５】
本考案４は
前記軟質部材を多孔質としたことを特徴とする為その軟質部材を多孔質
とすることによりその該部材に通気性を与え且該通気性による水溶性の
物質を含有させやすい形成とする。
【００２６】
本考案５は
前記軟質部材を綿としたことを特徴とする為その軟質部材を綿とすること
により該綿表面は肌触りがよく心地よいものとなり且水溶性の物質を含
有させやすい形成とする。
【００２７】
本考案６は
前記軟質部材に水溶液を含浸とさせたことを特徴とする為その軟質部材
に水溶液を含浸とさせることにより耳垢が付着しやすい軟質表面となり
且乾燥した耳に潤いを与えながら耳垢を除去することができる。
【００２８】
本考案７は
前記水を精製させ前記軟質部材に含浸したことを特徴とする為その水を精
製させ前記軟質部材に含有することにより該水は不純物が取り除かれ安全
な水とすることができる。
【００２９】
本考案８は
前記軟質部材にビタミンを含有したことを特徴とする為その軟質部材に
ビタミンを含浸したことにより耳内の活性化に伴いその耳内に蓄積する
老廃物を排出しやすい健康な状態へと変えていくと共に体機能の低下を
防ぐものとし尚そのビタミンにより保湿効果を与え潤いのある耳へと変
化させ乾燥する耳に対応でき更にそのビタミンは神経を落ち着かせる働
きがあり体がリラックスした状態とすることができる。
【００３０】
本考案９は
前記軟質部材にアミノ酸を含有したことを特徴とする為その軟質部材に
アミノ酸を含浸したことにより耳内の活性化に伴いその耳内に蓄積する
老廃物を排出しやすい健康な状態へと変えていくと共に体機能の低下を
防ぐものとし尚そのアミノ酸により耳内の活性化に伴いその耳内に蓄積
する老廃物を排出しやすい健康な状態へと変えていくと共に体機能の低
下を防ぐものとし尚そのアミノ酸は前途ビタミン等の栄養分を体に吸収
しやすくする。
【００３１】
本考案１０は
前記軟質部材に精製ミネラルオイルを含浸したことを特徴とする為その
軟質部材に精製ミネラルオイルを含浸したことによりその耳内に潤い且
滑度を与え乾燥耳にお困りの人や季節に対応できるようになる。
【００３２】
本考案１１は
前記軟質部材に植物油を含浸したことを特徴とする為その軟質部材に植
物油を含浸したことによりその植物油は体に優しいものとなりその耳内
に潤い且滑度を与え乾燥耳にお困りの人や季節に対応できるようになり
またその油成分に熔解しやすい成分剤があり代表としてビタミンＥとす
る酢酸トコフェロール等がある。
【００３３】
本考案１２は
前記軟質部材の係るスプーン形状部を前記棒状軸部から着脱可能とした
ことを特徴とする為その軟質部材の係るスプーン形状部を汚れ等で交換
することができる。
【００３４】
本考案１３は
前記着脱可能をネジ状の螺旋凹凸のそれぞれで可能としたことを特徴と
する為そのネジ状の螺旋凹凸のそれぞれで着脱可能とすることによりそ
の耳掻きを使用する耳内で軟質部材の係るスプーン形状部が取れてしま
うことを防ぐものとなり且簡単に交換が可能となる。
【００３５】
本考案１４は
前記棒状軸部の一端と他端のそれぞれに係る形成を大きさが異なる大小
の同一形成としたことを特徴とする為その軸部の一端と他端のそれぞれ
に係る形成を大きさが異なる大小の同一形成とすることにより大人が自
己で使用する場合その安定する一端形成の大の肉厚による安定感を与え
また大人が子供の耳掻きを行う場合その子供の小さい耳穴に対応できる
ようにその他端形成とする小の肉厚によりその耳穴を完全に塞ぐことな
く耳穴内を見えやすくし耳垢の除去が行えるものとなる。
【００３６】
本考案１５は
前記耳掻き形成を熱可塑性樹脂で形成したことを特徴とする為その熱可
塑性樹脂の耐熱形成によりその耳掻きに係る摩擦熱や家庭で使用する伝
熱器具やまた夏場車の車内による温度の上昇等のそれぞれの熱に対応で
きるようになりその耳掻きの変形を防ぐものとなる。
【００３７】
本考案１６は
前記耳掻きに顔料で着色させたことを特徴とする為その耳掻きにピンク
やブルー且ブラック等で含有着色することによりその耳掻きを使用する
耳垢で汚れを目立ちにくくすることでその耳掻きを鞄にいれ持ち運ぶこ
とができ且つ人前で清潔な耳掻きを使用することできまた逆にその耳垢
をはっきり目出たせることも使い捨ての耳掻きも可能となる。
【００３８】
本考案１７は
前記軟質部材に粘着を与えたことを特徴とする為その楕円体に粘着
を与えることによりの軟質部材は耳垢が付着しやすいものとなる。
【図面の簡単な説明】
【００３９】
【図１】本考案に係る統合する耳掻きの正面図。
【図２】形成一例概略図。
【図３】形成一例概略図。
【図４】形成一例概略図。
【考案を実施するための形態】
【００４０】
以下、本考案の好適な実施例を図面に基づいて説明する。
【００４１】
図１は本考案に係る統合する耳掻きの一例を示す正面図である。
【００４２】
図１は棒状軸部（４）と該軸部よりも幅広のスプーン形状部（３）を一
体的にしてなる耳掻き（１）において前記スプーン形状部（３）と軸部の
少なくとも一部に当接する軸方向に長い楕円体（６）の軟質部材（２）を
設けると共に該スプーン形状部（３）から先端に向かって且該軟質部材（２）
から突出する突出部（５）を有してなることを特徴とする為その図からな
る墨図形面とする該墨図形は軟質部材２がスプーン形状部３や棒状軸部４
に当接してることを示しその当接と棒状軸部４より幅広のスプーン形状部
３の該幅広で軟質部材２を抜けにくいものとしまたそのスプーン形状部３
とその軸部に軸方向に長い楕円体６を設けることにより該楕円体６に長さ
を有することができ該長さによる表面積が多くなることによりその入り曲
がる耳内により多く接するようになる為耳垢を除去しやすい長さとなりま
たその棒状軸部４より幅広のスプーン形状部３の一部に楕円体６を設ける
という該楕円体６の肉厚によりその楕円体６が一番厚みのある部分とする
ことによりその軟質部材２の厚みを介してスプーン形状部３とするその軟
質部材２から突出する突出部５を使用できるようになる為その軟質部材２
の全周面で耳掻き１に係る挿入案内をブレズに一時耳内で固定安定させる
ことによりそのスプーン形状部３を使用する恐さをほぼなくすと共に安
心を与え安全に耳垢を除去できるものとなりまたその耳掻き１は大人が自
己で使用しても親が子供の小さい耳穴を掃除する際にそれぞれ双方の使用
に安心を与えるスプーン形状部３となり尚その安心に係るその耳掻き１は
耳穴内にその軟質部材２の全周面を接触させることからそのスプーン形状
部３から先端に向かって且該軟質部材２から突出する突出部５を有する形
成によるその該先端とするスプーン形状部３を使用する為その全周面の軟
質性の軟らかさを介してそのスプーン形状部３の先端を耳内側面に接触さ
せるためその接する力をその軟質部材２支点で吸収しながらそのスプーン
形状部３の先端が該支点を介して耳内に当てるものとする為その耳内に力
を欠けすぎることなく耳穴を傷めることを防ぐものとし尚そのスプーン形
状部３に係る軟質部材２からの突出部５を有することにより該突出部５で
耳の最奥とする凹みが広がる部分に溜まる耳垢を掻き出しやすい形成とな
り仮にその棒状軸部４を基準にスプーン形状部３の曲がりを１８０度以下
とすればよいものとなりまたそのスプ―ン形状部３の端部表面に凸部を形
成してスープン形状部３を形成してもよいものとなり該表面が凹部状の形
成となればよいものとなる。
【００４３】
図２の（ａ）は前記軸方向に長い楕円体６側面に該楕円体６周面一周を
連通する複数の溝７を設けたことを特徴することを示しその楕円体６側面
に係る該楕円体６周面一周を連通する複数の溝７を設けたことによりその
楕円体６表面はその軸方向等に凹凸形状の波ができるものとなることによ
り複数の凹部個所で耳垢を蓄積させやすい形成とし仮に一例としてまずそ
の（ａ）図からなる軸方向を上下と規定しその連通する複数の溝７は左右
からなる形成とするがその溝７の左右溝７と異なる方向溝７とすることや
またその軸方向に沿って螺旋状や斜線形成且波状線等で形成するなど様々
あり（ｂ）は前記当接する軸方向に長い楕円体６の軟質部材２を該軸から
動かないように固定したことを特徴とすることを示しその当接する軸方向
に長い楕円体６の軟質部材２を該軸から動かないように固定したことによ
りその軟質部材２はその棒状軸部４から取れにくいものとなりその固定の
一例として接着固定、ナイロン等の糸で固定、固着、熔着、耳掻きと異な
る部材での固定等があり（ｃ）は前記軟質部材２を多孔質２０としたこと
を特徴とすることを示しその軟質部材２を多孔質２０とすることによりそ
の軟質部材２は通気性が良くなると共にその多孔質２０に水溶液等を含浸
させやすくなりその多孔質２０には綿わたやスポンジ、架橋形成とするこ
と、ごく微小なナノレベルの多孔質等があり（ｄ）は前記軟質部材２を綿
８としたことを特徴とすることを示しその軟質部材２を綿８とすることに
より該綿８表面の肌触りの感触はよいものとなりまた一例としてその綿８を複数の綿８で前記表面がふさふさとなるように形成してもよいものとな
り（ｅ）は前記軟質部材２に水溶液２１を含浸としたことを特徴とするこ
とを示しその軟質部材２に水溶液２１を含浸したことにより該水より耳垢
を付着させやすいものとすると共に乾燥耳に対応でき（ｆ）は前記水を精製９させ前記軟質部材２に含浸したことを特徴とすることを示しその水を
精製９させ軟質部材２に含浸したことによりその水はより安全な綺麗な水となり、また乾燥耳等に対処することが可能となり一例とするがその前途や後述で記す部材を部剤等にかえてを含有成分として使用することもできまた一例としてその精製した水にパラベンを含有させてもよいものとなり（ｇ）は前記軟質部材２にビタミン１１を含有したことを特徴とすること
を示しその軟質部材２にビタミン１１を含有したことにより乾燥耳を潤いのある耳へと改善していくものとなりその耳内に栄養を与えるものとなる
為耳内側面の老化や不純物の詰りを健康な体質へと徐々に変化させるものとなり仮にそのビタミン１１にはビタミンＡ，ビタミンＤ、ビタミンＫ、
ビタミンＢ１、ビタミンＢ２、ビタミンＢ１２、ナイアシン、パントテン
酸、葉酸、ビオチン、ビタミンＣとなるが仮にその何れかの該当するビタ
ミン１１を複数含有成分としてその耳掻き１を形成してもよいとし（ｈ）は前記軟質部材２にアミノ酸１２を含有したことを特徴とすることを示しその軟質部材２にアミノ酸１２を含有したことにより耳穴の血行を促進すると共に老廃物の改善や耳内老化の予防となると共にその耳穴潤いを与えるものとなり仮にそのアミノ酸１２にはグリシン、アラ二ン、バリン、ロイシン、イソロイシン、プロリン、メチオ二ン、フェニルアラ二ン、トリ
プトファン、セリン、トレオ二ン、アスパラギン、グルタミン、チロシン、
システイン、アスパラギン酸、グルタミン酸、ヒスチジン、リジン、アル
ギニン等となるが仮にその何れかの該当する複数のアミノ酸１２をその耳
掻き１形成の含有成分としてもよいとし（ｉ）は前記軟質部材２に精製ミ
ネラルオイル１３を含浸したことを特徴とすることを示しその軟質部材２に精製ミネラルオイル１３を含浸したことによりその軟質部材２の全周面は滑度且その耳内の乾燥に潤いを与え多数の乾燥耳におこまりに対処する
部材となり仮にその精製ミネラルオイル１３は鉱物油となるが該油の代表として植物油、合成油、動物油、化学性油、鉱物油等がある。
【００４４】
図３の（ａ）は前記軟質部材２に植物油１７を含浸したことを特徴とす
ることを示しその軟質部材２に植物油１７を含浸したことによりその耳穴
の保湿を保ちながら乾燥老化を防ぐものとなり、またその植物油１７は体
に優しいものとなり仮に一例としてその耳掻き１は使い捨てとして樹脂の
パッケージや容器等に複数として梱包し形成してもよいものとなり（ｂ）
は前記軟質部材２の係るスプーン形状部３を前記棒状軸部４から着脱可能
としたことを特徴とすることを示しその軟質部材２の係るスプーン形状部
３を前記棒状軸部４から着脱可能としたことによりその軟質部材２が係る
形成部を汚れや劣化等に対し着脱交換可能とすることができ（ｃ）は前記
着脱可能をネジ状の螺旋凹凸１４のそれぞれで可能としたことを特徴と
することを示しその着脱可能をネジ状の螺旋凹凸１４のそれぞれで可能
とすることによりそれぞれの凹凸となるネジはその耳掻き１を耳内で使
用しても取れにくいものとなりまたその軟質部材２の係るスプーン形状
部３の交換がスムーズに行えるものとなり（ｄ）は前記棒状軸部４の一端
と他端のそれぞれに係る形成を大きさが異なる大小の同一形成としたこ
とを特徴とすることを示しその棒状軸部４の一端と他端のそれぞれに係
る形成を大きさが異なる大小の同一形成としたことにより子供は特に耳
穴が小さく耳垢を取る側の親としては耳内に耳掻き１を差し込む時に耳
垢の位置等が解る細さの耳掻き１がよいものとなりまたその親が自身で
耳垢を除去する場合は耳垢の位置は把握できなくてもその耳掻き１が安
全に使え安定感を与える太さとすればよいものとなりその耳穴の大きさ
は人それぞれ違いがあり多少の誤差は生じるがその耳掻き１の太さの一
例として自己や主婦等の使用例を参考にするとその軟質部材２の肉厚が
約３．５ミリから３．７ミリが使用しやすい大きさとなり通常の面棒の太
さは４ミリとほぼ耳穴の大きさとなる為細めとなる方が耳垢を掻きとる
動作案内をスムーズに動作変更できる為それぞれを目安数値として推奨
するものとなりまたお子様の小さい耳に対応するには約２．５ミリ程度の
太さを目安数値となり（ｅ）は前記耳掻き１を熱可塑性樹脂１８で形成し
たことを特徴とすることを示しその耳掻き１を熱可塑性樹脂１８で形成
したことによりその耐熱形成によりその耳掻き１に係る摩擦熱や家庭で
使用する伝熱器具によるそれぞれの熱に対応できるようになりその耳掻
き１の変形を防ぐものとなりまた一例となるがその耳掻き１に係る形成
一例として樹脂製とする場合その樹脂には天然樹脂や合成樹脂且熱可塑
性樹脂等があり特にその樹脂の代表とするシリコーン樹脂、ＡＢＳ樹脂、
ポリスチレン、アクリル、エラストマー樹脂、ポリ塩化ビニール、ポリプ
ロピレン、プラスチック、アクリル酸エステル樹脂、加硫ゴム、熱硬化性
樹脂系エラストマー、熱可塑性エラストマーがありまたその耳掻き１を繊
維製として形成する場合その繊維には植物繊維や合成繊維、天然繊維、化
学繊維、動物繊維、鉱物繊維、食物繊維、半合成繊維、再生繊維、ガラス
繊維、炭素繊維、人造鉱物繊維、天然竹繊維等があり特にその繊維の代表
とする天然羽毛、羽毛、脱脂綿、天然コットン、パルプ、紙などがあり尚
その耳掻き１を金属製として形成する場合その金属には軽金属や重金属
且合金等がありその金属の代表としてステンレス、チタン、スチール、真
鍮、黄銅、アルミニウム、亜鉛、セラミックス等がありまたその耳掻き１
を竹製として形成する場合その竹には天然竹、人工竹、虎斑竹、淡竹、孟
宋竹、亀甲竹、袋竹、黒竹、スズ竹、図面竹、ゴマ竹、紋竹、煤竹、沈竹
等がありまたその耳掻き１に抗菌材を設けることや含有させて形成して
もよいとしまた抗菌剤もありそれぞれの抗菌種別には化学性、植物性、合
成性、動物性の特に無機系抗菌剤や塩酸ポリヘキサニド、キトサンを一例
としてあげるものとしまたその耳掻き１を木製として形成する場合その
木製には杉や檜、檜葉、松、欅、栂、栗、姫椿等があり（ｆ）は前記耳掻
き１に顔料１９で着色させたことを特徴とすることを示しその耳掻き１
に顔料１９で着色させたことによりピンクやブルー且ブラック等で含有
等で着色することによりその耳掻き１を使用する女性は鞄に入れて持ち
歩く人が多い為その使用する耳垢で汚れを目立ちにくくすることやまた
逆にその耳掻き１を使い捨てとする場合その耳垢をはっきり目出たせる
ことも可能となりそれらは人それぞれとなるが常に持ち運びする耳掻き
１で有ればあまり耳垢付着が見えずらいピンク系等が女性目線としては
よいものとなり（ｇ）は前記軟質部材２に粘着２７を与えたことを特徴と
することを示しその軟質部材２に粘着２７を与えたことにより耳垢を付
着させやすいものとし仮にその粘着性部材にはアクリル酸エステル樹脂
系、弾性粘着系、アクリル粘着系、エマルジョン粘着系等があり仮にその
前途記す樹脂、繊維、金属、竹、木に係る耳掻き１形成はそれぞれの部材
とする複数組み合わせとしてもよいものとしまた一例としてその軟質部
材２を変形可能な部材で形成してもよいものとしその変形可能な部材の
代表とする弾性体の一例として金属製の弾性体、樹脂製の弾性体、木製の
弾性体、竹製の弾性体、抗菌材を含む弾性体等がありその弾性体は熱硬化
性エラストマー、熱可塑性エラストマー、エラストマー系、シリコーンゴ
ム、フッ素ゴム、ウレタンゴム、天然ゴム、合成ゴム、熱硬化性系ゴム、
熱可塑性系ゴム、エポキシ樹脂、高分子弾性体、ゴム、架橋ゴム、加硫ゴ
ム等がある。
【００４５】
図４は全て一例となるが（ａ）その耳掻き１の一端形成に伴う他端形成
を示したものとなり仮にその他端の形成を軟質部材２の半円体で形成する
ことやその軟質部材２をふさふさな綿で形成することや、また楕円体６の
軟質形成とすること、その軟質部材２の表面を前記軸方向に対しスクリュ
ー形状２２の凹部を形成する等のその他端に係る形成はその耳掻き１に係
る一端の形成と異なる形状や部材を用いて形成してもよいものとなり（ｂ）
はその耳掻き１に係る棒状軸部４の一例を示したものとなりその軸部を多
角形、正多角形、円錐及び半円錐等があり尚その棒状の表面に滑り止めを
設けてもよいとしその滑り止めの形成は棒状の表面に変化を与える凹部や
凸部等の形成とすることやまたその軸部と異なる部材での凹凸形成としも
よいものとしまた図示はないがその耳掻き１の一端や他端に係る形成部に
該形成部等を覆う着脱可能なキャップを設けることやまたその耳掻き１１
に係る棒状軸部４を複数に分割着脱可能にしてケース等に収納して持ち運
べるようにしてもよいとする。
【符号の説明】
【００４６】
１  耳掻き
２  軟質部材
３  スプーン形状
４  棒状軸部
５  突出部
６  楕円体
７  溝
８  綿
９  水を精製
１１  ビタミン
１２  アミノ酸
１３  精製ミネラルオイル
１４  ネジ状の螺旋凹凸
１５  一端
１６  他端
１７  植物油
１８  熱可塑性樹脂
１９  顔料
２０  多孔質
２１  水溶液
２２  スクリュー形状
２３  半円形状
２４  ふさふさな綿
２５  網目部材
２６  凹凸
２７  接着
【図１】
0003197033.tif 000003
【図２】
0003197033.tif 000004
【図３】
0003197033.tif 000005
【図４】
0003197033.tif 000006